(57)【要約】      （修正有）【課題】停電時であっても、通信手段や照明手段に対して容易に電力を供給する手段を備えた防災用のバッグを提供する。【解決手段】バッグ１は、バッグ本体２と、カート部とを備えている。カート部は、バッグ本体２を取り付けることのできる側枠部と、キャスターが配置されている底枠部とを備えている。バッグ本体２は、前記バッグ本体２の外側に固定されている太陽電池パネル２０と、太陽電池パネル２０に電気的に接続されており太陽電池パネル２０で発電された電力を蓄電する蓄電器２３と、を備えている。バッグ本体２は、カート部から取り外してリュックサックとして使用することができる。【選択図】図１
0003170092.tif 000002
【実用新案登録請求の範囲】
【請求項１】
バッグ本体と、カート部とを備えているバッグであって、
前記カート部が、前記バッグ本体を取り付けることのできる側枠部と、二個以上のキャスターが配置されている底枠部とを備えており、
前記バッグ本体が、前記バッグ本体の外側に固定されている太陽電池パネルと、前記太陽電池パネルに電気的に接続されており前記太陽電池パネルで発電された電力を蓄電する蓄電地とを備えていることを特徴とするバッグ。
【請求項２】
前記バッグ本体は更に、
前記太陽電池パネルが固定される前面部材（３）と、
前記前面部材と対向する背面部材（４）と、
前記前面部材（３）及び前記背面部材（４）に縫い合わされて当該バッグ本体の両側面及び底面を形成すると共に、当該バッグ本体の厚みを確定するマチ部材（９）と、
前記背面部材（４）に固定された一対の肩ベルト（８ａ，８ｂ）と、
前記背面部材（４）の外側に配置され、且つその両側辺が背面部材（４）の両側辺と縫い合わされていることによって、背面部材（４）との間に筒状の空間を形成するカバー部材（６）と、を備えており、
前記背面部材（４）と前記カバー部材（６）との間に形成された筒状の空間に前記カート部の前記側枠部の一部を差し入れることで、前記バッグ本体が前記カート部に保持可能となり、前記バッグ本体を前記カート部の前記側枠部から取り外すことで、前記バッグ本体がリュックサックとなることを特徴とする請求項１記載のバッグ。
【考案の詳細な説明】
【技術分野】
【０００１】
本願は、太陽光による発電手段と、この発電手段によって発電された電力を蓄電する蓄電手段とを備えており、且つキャスター（脚輪）を備えることによって運搬の容易な防災用のバッグ（鞄）に関する。
【背景技術】
【０００２】
近年、携帯電話や携帯型情報端末が急激に普及しており、従来の無線通信などに代わって、災害時の通信手段として一般的になりつつある。しかしながら、大規模な災害時などでは、停電によって携帯電話や携帯型情報端末に付属する二次電池の充電ができずに、電源電圧が低下していわゆる電池切れとなり、必要な通信を行えない恐れがあった。同様に、長時間の停電の場合には、懐中電灯等の非常用照明手段に用いられる電池が切れて、必要な照明を確保できない恐れがあった。
【０００３】
一方で、一般家庭の防災対策として、懐中電灯、ラジオ、ヘルメットといった防災用具を非常持ち出し用のバッグに納めて保管しておき、避難時にはこの非常持ち出し袋を携帯することが推奨されている。そこで、非常持ち出し用のバッグに発電手段を付加して、停電時に通信手段や照明手段に必要な電力を供給できるようにする技術が求められている。
【０００４】
特許文献１には、携帯機器等に必要な電源を確保することのできる鞄が開示されている。特許文献１の鞄は、鞄を移動させるときの加速度によって発電可能な発電器と、光発電器と、充電器とを備えている。特許文献１の鞄は、加速度による発電と光による発電によって得られた電力を充電器に充電し、この充電器に接続された携帯機器に電力を供給する。
【先行技術文献】
【特許文献】
【０００５】
【特許文献１】特開２００４−４０８９６号公報
【考案の概要】
【考案が解決しようとする課題】
【０００６】
特許文献１に開示される鞄は、主に加速度による発電から得られた電力を充電器に充電する構成を備えており、発電器が静置している状態では充分な電力が得られない可能性があった。このため、より容易に発電を行って、通信手段や照明手段に電力を供給できる技術が求められていた。
【０００７】
この考案は上記従来の問題点に鑑みてなされたものであり、停電時であっても、通信手段や照明手段に対して容易に電力を供給する手段を備えた防災用のバッグを提供することを目的としてなされたものである。
【課題を解決するための手段】
【０００８】
本考案は、バッグ本体と、カート部とを備えているバッグに関する。本考案のバッグは、カート部が、バッグ本体を取り付けることのできる側枠部と、二個以上のキャスターが配置されている底枠部とを備えており、且つバッグ本体が、バッグ本体外側に固定されている太陽電池パネルと、太陽電池パネルに電気的に接続されており太陽電池パネルで発電された電力を蓄電する蓄電池とを備えていることを特徴とする。
【０００９】
本考案のバッグは、太陽光による発電手段として、太陽電池パネルを備えている。太陽電池パネルはバッグ本体の外側に固定されており、この太陽電池パネルに光をあてることで、太陽電池パネルは光エネルギーを電気エネルギーに変換する。得られた電気エネルギーは接続されている蓄電池に蓄電されるので、必要なときに通信手段や照明手段に電力を供給することができる。
【００１０】
本考案のバッグ本体は更に、太陽電池パネルが固定される前面部材と、前面部材と対向する背面部材と、前面部材及び背面部材に縫い合わされてバッグ本体の両側面及び底面を形成すると共に、バッグ本体の厚みを確定するマチ部材と、背面部材に固定された一対の肩ベルトと、背面部材の外側に配置され、且つその両側辺が背面部材の両側辺と縫い合わされていることによって、背面部材との間に筒状の空間を形成するカバー部材とを備えている。本考案のバッグ本体は、背面部材とカバー部材との間に形成された筒状の空間にカート部の側枠部の一部を差し入れることで、バッグ本体がカート部に保持可能となり、バッグ本体をカート部の側枠部から取り外すことで、バッグ本体がリュックサックとなることを特徴とする。
【考案の効果】
【００１１】
本考案のバッグは、バッグ本体に固定されている太陽電池パネルに太陽光をあてることによって、容易に発電を行うことができる。発電によって得られた電気エネルギーは、太陽電池パネルに電気的に接続された蓄電池に蓄電されるので、必要なときに通信手段や照明手段に電力を供給することができる。
【００１２】
本考案のバッグは、バッグ本体がカート部の側枠部に取り付けられて一体化した状態と、バッグ本体をカート部から取り外した状態の両方で利用することができる。バッグ本体とカート部とが一体化した状態のバッグは、底枠部に設けられたキャスターの回転によって、重量物を容易に運搬することができる。従って、例えば緊急避難時などに、重い防災用具を容易かつ迅速に運搬することができる。またバッグ本体とカート部とが一体化した状態のバッグは、側枠部が地面に対して垂直に起立した状態で静置することができるので、横から太陽光が当たる場合には、バッグ本体の前面部材に固定されている太陽電池パネルに充分に光を当てることができ、効率よく発電を行うことができる。
【００１３】
さらに本考案のバッグは、バッグ本体の背面部材に、一対の肩ベルトが固定されている。そこで、バッグ本体をカート部から取り外した状態で、バッグ本体のみをリュックサックとして利用することが可能となる。特に移動中の地面に段差や凹凸があり、キャスターを用いてバッグを移動させることが困難な場合には、リュックサックとしての形態で使用して防災用具を運搬することができる。またカート部から取り外されたバッグ本体は、前面部材に固定されている太陽電池パネルを任意の方向に向けた状態で静置できるので、任意の方向からの光に対して効率よく発電を行うことができる。
【図面の簡単な説明】
【００１４】
【図１】本考案の実施例に係るバッグ１の構成について説明する図であり、バッグ１を斜め前方から見た斜視図である。
【図２】本考案の実施例に係るバッグ１の構成について説明する図であり、バッグ１を斜め後方から見た斜視図である。
【図３】本考案の実施例に係るバッグ本体２を斜め後方から見た斜視図である。
【考案を実施するための形態】
【００１５】
本考案の最適な実施の形態のバッグは、バッグ本体とカート部とを備えている。バッグ本体の外側には太陽電池パネルが固定されており、且つ太陽電池パネルには蓄電池が電気的に接続されている。以下に、本考案を実施するための形態について、図面を参照しつつ実施例を挙げて詳細に説明する。
【実施例】
【００１６】
以下に、図面を参照しつつ、本考案に係るバッグの一実施例であるキャスター付きのバッグ１を詳細に説明する。図１は、バッグ１を斜め前方から見た斜視図である。図２は、バッグ１を斜め後方から見た斜視図である。図３は、バッグ本体２を斜め後方から見た斜視図である。バッグ１は、バッグ本体２とカート部１０とを備えている。バッグ本体２は、太陽電池パネル２０と、太陽電池パネル２０に配線２２を介して接続されている蓄電器２３とを備えている。
【００１７】
バッグ本体２は、織物または樹脂製の生地によって形成されており、上部に開口部が設けられている。図１〜図３に示すように、バッグ本体２は、太陽電池パネル２０が取り付けられている前面部材３と、前面部材３と対向している背面部材４とを備えている。またバッグ本体２は、前面部材３及び背面部材４との間に配置されており、前面部材３及び背面部材４と縫い合わされていることでバッグ本体２の両側面及び底面を形成しており、バッグ本体２の厚みを確定しているマチ部材９を備えている。      
【００１８】
バッグ本体２の上部には、上部の開口部を覆うための蓋部材５が、背面部材４に縫い付けられて配置されている。またこの蓋部材５と背面部材４との間に、取付部材７が一端部を挟み込まれた状態で縫い付けられている。取付部材７は、バッグ本体２の上部をカート部材１０に取り付けるための略四角形の部材である。更にバッグ本体２は、その背面に略長方形のカバー部材６を備えている。カバー部材６は、背面部材４の外側に配置されており、その両側辺が背面部材４の両側辺と縫い合わされていることによって、背面部材４との間に筒状の空間を形成している。
【００１９】
更にまたバッグ本体２は、背面部材４に縫い付けられた一対のベルト８ａ，８ｂを備えている。肩ベルト８ａ，８ｂの上端部は背面部材４の上部に縫い付けられている。肩ベルト８ａ，８ｂの下端部は、背面部材４の側辺の、背面部材４とマチ部材９の縫い目の中に挟み込まれた状態で縫い合わされて固定されている。
【００２０】
カート部１０は、底枠部１１と側枠部１２とを備えている。本実施例におけるカート部１０の底枠部１１は、アルミニウム製の丸パイプを折り曲げ加工することで略コの字形に形成された底枠フレーム１５と、側枠部１２との接続部を構成する一対の接続部材１５ａ，１５ｂとを備えている。接続部材１５ａの下部にはキャスター１３ａが固定されており、接続部材１５ｂの下部にはキャスター１３ｂが固定されている。つまりキャスター１３ａ，１３ｂは、底枠部１１において左右一対となるように配置されている。更に底枠部１１は、キャスター１３ａ，１３ｂと対向するように配置されたストッパー部材１６を備えている。
【００２１】
本実施例におけるカート部１０の側枠部１２は、底枠部１１の上方に固定されており、底枠部１１に対してほぼ垂直に延在する２本の支柱部材１７と、それぞれの支柱部材１７の上端を接続するようにほぼ水平に配置された取っ手部１８とを備えている。支柱部材１７はアルミニウム製の丸パイプによって形成されており、取っ手部１８は樹脂によって形成されている。また、取っ手部１７の下部に、樹脂製のバッグ固定部材１４が、取っ手部１８と略平行になるように固定されている。
【００２２】
バッグ本体２の前面部材３に縫い付けられて固定されている太陽電池パネル２０について説明する。太陽電池パネル２０は、太陽電池モジュール２１ａ，２１ｂ，２１ｃを直列に接続して構成されており、太陽光などの光を受けると電力を発生する。太陽電池パネル２０から出力された電力は、配線２２で接続されている蓄電器２３の中の蓄電池に供給される。本実施例における太陽電池パネル２０は、最大出力が３Ｗであり、また適用電圧が６Ｖとなるように構成されている。
【００２３】
図１においては、その構成を示すために蓄電器２３をバッグ本体２から取り出した状態を示しているが、通常、蓄電池２３と配線２２は、バッグ本体２の中に収容されている。本実施例における蓄電器２３は、その内部に図示されていないリチウムイオン電池（以下、リチウムバッテリーとも言う）を備えている。リチウムイオン電池は蓄電池（二次電池）であり、蓄電器２３はこのリチウムイオン電池に太陽電池パネル２０から配線２２を経由して供給された電力を蓄電する。本実施例における蓄電器２３には、電圧３．７Ｖ、容量２Ａ／ｈのリチウムイオン電地が用いられており、蓄電器としての最大出力は、５Ｖ，５５０ｍＡである。
【００２４】
蓄電器２３は、リチウムイオン電地に電気的に接続されている出力端子２５を備えている。本実施例における出力端子２５は、ＵＳＢ規格に準拠したＵＳＢ出力端子であり、ＵＳＢ対応機器への電力供給が可能である。本実施例の蓄電器２３のＵＳＢ端子２５に接続することで。携帯電話や携帯型情報端末や照明手段等に電力を供給することが可能となる。
【００２５】
また蓄電器２３は、その筐体にリチウムイオン電地と電気的に接続されており、図示されていないスイッチによって消灯と点灯を切り替えられるＬＥＤライト２４が配置されており、このＬＥＤライト２４を非常用の照明として利用することができる。
【００２６】
バッグ本体２がカート部１０に取り付けられて一体化した状態で使用される形態について説明する。バッグ本体２をカート部１０に取り付けて固定する場合、バッグ本体２は、背面部材４がカート部１０の支柱部材１７に接し、且つマチ部材９の底面部分がカート１０部の底枠部１１の底枠フレーム１５と接するようにカート部１０に搭載されて一体化される。このとき、バッグ本体２のカバー部材６と背面部材４との間に形成された筒状の空間に側枠部１２の支柱部材１７を挿入して通過させることによって、背面部材４は確実にカート部１０に固定される。これに加えて、本実施例における取付部材７の他端部と、カバー部材６の上部には、組み合わせることで面ファスナーとして機能する一対の布片７ａのそれぞれ１片ずつが縫い付けられている。バッグ本体２の上部をバッグ固定部材１４に固定するために、取付部材７の他端部の布片７ａは、中央部がカート部１０の取っ手部１８とバッグ固定部材１４との間の空間をくぐりぬけている状態で、カバー部材６の上部の布片７ａと組み合わされる。
【００２７】
バッグ本体２は、カバー部材６と取付部材７とによって安定してカート部１０に取り付けられる。そこで、災害が発生して緊急避難する時などにおいては、バッグ本体２に防災用具などの重量物を収納し、キャスター１３ａ，１３ｂを接地させて取っ手部１８を保持して運搬することにより、キャスター１３ａ，１３ｂの回転運動によって容易に重量物を運搬することができる。
【００２８】
バッグ本体２とカート部１０とが一体化しているバッグ１は、図１及び図２に示すように、キャスター１３ａ，１３ｂとストッパー１６とがバッグ１全体を支持することによって、側枠部１２が地面に対してほぼ垂直に起立した状態で静止することができる。このとき、太陽電池パネル２０もまた、地面に対してほぼ垂直な向きで静止する。この結果、横から太陽光がさしている場合には、太陽電池パネルに充分な光を当てることができ、効率よく発電を行うことができる。また、側枠部１２を水平に倒して、バッグ１全体を横倒しにして静置することも可能であり、この場合には上方向からさしてくる光を充分に太陽電池パネルに当てて発電を行うことができる。
【００２９】
バッグ本体２をカート部１０から取り外した状態で使用される形態について説明する。バッグ本体２の取付部材７をカート部１０のバッグ固定部材１４から外し、且つバッグ本体２のカバー部材６と背面部材４との間に形成された筒状の空間から支柱部材１７を抜き取ることによって、バッグ本体２は、カート部１０から分離され、取り外される。バッグ本体２に設けられている一対の肩ベルト８ａ，８ｂを用いることで、バッグ本体２をリュックサックとして利用することが可能となる。特に移動中の地面に段差や凹凸があり、キャスター１３ａ，１３ｂを用いてバッグ１を移動させることが困難な場合には、バッグ本体２のみをリュックサックの形態で使用して防災用具を運搬することができる。
【００３０】
カート部１０から取り外されたバッグ本体２は、前面部材３に固定されている太陽電池パネル２０を任意の方向に向けた状態で静置することができるので、任意の方向からの光に対して効率よく発電を行うことができる。
【００３１】
以上、実施例において本考案の具体例を詳細に説明したが、これらは例示にすぎず、実用新案登録請求の範囲を限定するものではない。実用新案登録請求の範囲に記載の技術には、以上に例示した具体例を様々に変形、変更したものが含まれる。例えば実施例では、バッグ１のカート部１０が２個のキャスター１３ａ，１３ｂを備えている構成について説明したが、ストッパー１６の配置を変更してキャスターを３個又は４個設けることによって、運搬時のバッグ１の安定性を向上させることができる。また実施例では、蓄電器２３がリチウムイオン電地を備えている場合について説明しているが、本考案はこれに限定されるものではなく、蓄電池として例えばニッケル水素蓄電池、鉛蓄電池、ニッケルカドミウム蓄電池などを使用することができる。さらに、実施例では蓄電器２３が太陽電池パネル２０と配線２２を介してバッグ本体２に固定されている形態が示されているが、バッグ本体２の内部に蓄電器２３を固定する仕切りを設けて、そこに固定することも可能である。  
【符号の説明】
【００３２】
１      バッグ
２      バッグ本体
３      前面部材
４      背面部材
５      蓋部材
７      取付部材
７ａ    面ファスナー
８ａ，８ｂ  肩ベルト
９      カバー部材
１０    カート部
１１    底枠部
１２    側枠部
１３ａ，１３ｂ  キャスター
２０    太陽電池パネル
２３    蓄電器
【図１】
0003170092.tif 000003
【図２】
0003170092.tif 000004
【図３】
0003170092.tif 000005